(57)【要約】開示されるものは、ネットワーク側ノードが、プリセットポリシに従って、ＲＡＮ通知エリアについてのＲＮＡ情報を判定することと、ネットワーク側ノードが、判定されたＲＮＡ情報を端末に送信することとを含む、ＲＡＮベースの通知エリアについての情報の通知のための方法およびデバイスである。ポリシは、以下：ネットワーク側によって構成されたモードを使用して、ＲＮＡ情報を表すこと、または端末の関連情報に従って、ＲＮＡ情報の表現モードを判定することのうちの１つを含む。
2020503812.tif 000002
【特許請求の範囲】
【請求項１】
無線アクセスネットワーク（ＲＡＮ）ベースの通知エリア（ＲＮＡ）情報を通知するための方法であって、
ネットワーク側ノードによって、プリセット方略に従って、ＲＮＡ情報を判定することと、
前記ネットワーク側ノードによって、前記判定されたＲＮＡ情報を端末に伝送することと
を含み、
前記方略は、
ネットワーク側において構成された様式で、前記ＲＮＡ情報を表すことと、
前記端末に関連する情報に従って、前記ＲＮＡ情報を表すための様式を判定することと
のうちの１つを含む、方法。
【請求項２】
前記方略が前記ネットワーク側において構成された前記様式で前記ＲＮＡ情報を表している場合では、前記ネットワーク側ノードによって、前記プリセット方略に従って、前記ＲＮＡ情報を判定することは、前記ネットワーク側ノードによって、ＲＡＮ追跡エリア（ＲＴＡ）情報、セル情報、および追跡エリア（ＴＡ）情報のうちの少なくとも１つを使用することによって、前記ＲＮＡ情報を表すことを含む、請求項１に記載の方法。
【請求項３】
前記端末に関連する前記情報は、前記端末のサービス特性および前記端末の移動特性のうちの少なくとも１つを含む、請求項１または２に記載の方法。
【請求項４】
前記端末のサービス特性は、遅延要件、信頼性要件、およびレート要件のうちの少なくとも１つを含む、請求項３に記載の方法。
【請求項５】
前記端末に関連する前記情報に従って、前記ＲＮＡ情報を表すための前記様式を判定することは、前記端末のサービス特性に従って、前記ＲＮＡ情報を表すための前記様式を判定することを含む、請求項４に記載の方法。
【請求項６】
前記端末の移動特性は、前記端末の移動軌跡情報を含む、請求項３に記載の方法。
【請求項７】
前記端末に関連する前記情報に従って、前記ＲＮＡ情報を表すための前記様式を判定することは、前記端末によってサポートされ、前記端末によって報告される、前記ＲＮＡ情報を表すための受信された様式に従って、前記ＲＮＡ情報を表すための前記様式を判定することを含む、請求項１に記載の方法。
【請求項８】
前記端末によってサポートされる前記ＲＮＡ情報を表すための前記様式は、
ＲＴＡ情報を使用することによって前記ＲＮＡ情報を表すことと、
セル情報を使用することによって前記ＲＮＡ情報を表すことと、
ＴＡ情報を使用することによって前記ＲＮＡ情報を表すことと
のうちの少なくとも１つを含む、請求項７に記載の方法。
【請求項９】
前記セル情報は、セルに関する情報またはセルリストに関する情報を含み、
前記セルリストに関する情報は、１つ以上の基地局に属する複数のセルに関する情報または１つ以上のＴＡに属する複数のセルに関する情報を含む、請求項２に記載の方法。
【請求項１０】
前記ＲＴＡ情報は、１つのＲＴＡに関する情報または１つのＲＴＡリストに関する情報を含む、請求項２に記載の方法。
【請求項１１】
前記ＴＡ情報は、１つのＴＡに関する情報または１つのＴＡリストに関する情報を含む、請求項２に記載の方法。
【請求項１２】
前記ＲＮＡ情報は、以下：
１つのセルが１つのＲＴＡに属することと、
１つのセルが異なるサービスのための複数のＲＴＡに属することと、
１つのＲＴＡが１つのセルまたは複数のセルを備えることと、
１つのＲＴＡ内に備えられる前記複数のセルが１つの基地局または複数の基地局に属することと、
１つのＲＴＡ内に備えられる前記複数のセルが１つのＴＡまたは複数のＴＡに属することと、
１つのＲＴＡ内に備えられる前記複数のセルが１つのＴＡリスト内にあることと
のうちの１つを含む、請求項１に記載の方法。
【請求項１３】
前記ネットワーク側ノードによって、前記判定されたＲＮＡ情報を前記端末に伝送することは、前記ネットワーク側ノードによって、非アクティブインジケーションおよび前記判定されたＲＮＡ情報を前記端末に伝送することを含む、請求項１に記載の方法。
【請求項１４】
前記ネットワーク側ノードは、ダウンリンクエアインターフェースメッセージを通して、前記判定されたＲＮＡ情報を前記端末に伝送する、請求項１〜１３のいずれか１項に記載の方法。
【請求項１５】
前記ダウンリンクエアインターフェースメッセージは、共通メッセージおよび専用メッセージのうちの１つを含む、請求項１４に記載の方法。
【請求項１６】
前記ネットワーク側ノードによって、前記判定されたＲＮＡ情報を前記端末に伝送した後、前記方法はさらに、前記ネットワーク側ノードおよび前記端末の両方が、セル情報を使用することによって前記ＲＮＡ情報を表すことをサポートし、前記ネットワーク側ノードが、コアネットワークから、ダウンリンクデータ、次世代ネットワーク制御サーフェス（ＮＧＣ）インターフェースシグナリング、または非アクセス層（ＮＡＳ）シグナリングを受信する場合では、前記ネットワーク側ノードによって、前記セル情報によって示されるセル内でページングを実施することを含む、請求項１に記載の方法。
【請求項１７】
前記ネットワーク側ノードによって、前記セル情報によって示される前記セル内で前記ページングを実施することは、ページングタイムアウトに応答して、前記ネットワーク側ノードによって、ＲＴＡ情報またはＴＡ情報によって示されるＴＡ内でページングを実施することを含み、
前記ＲＴＡ情報または前記ＴＡ情報によって示される前記ＴＡは、前記端末の移動軌跡によって判定される、請求項１６に記載の方法。
【請求項１８】
無線アクセスネットワーク（ＲＡＮ）ベースの通知エリア（ＲＮＡ）情報を通知するためのデバイスであって、前記デバイスは、判定モジュールと、通知モジュールとを備え、
前記判定モジュールは、プリセット方略に従って、ＲＮＡ情報を判定するように構成され、
前記通知モジュールは、前記判定されたＲＮＡ情報を端末に伝送するように構成され、
前記方略は、
ネットワーク側において構成された様式で、前記ＲＮＡ情報を表すことと、
前記端末に関連する情報に従って、前記ＲＮＡ情報を表すための様式を判定することと
のうちの１つを含む、デバイス。
【請求項１９】
前記通知モジュールは、非アクティブインジケーションおよび前記判定されたＲＮＡ情報を前記端末に伝送するように構成されている、請求項１８に記載のデバイス。
【請求項２０】
前記通知モジュールは、ダウンリンクエアインターフェースメッセージを通して前記判定されたＲＮＡ情報を前記端末に伝送するように構成されている、請求項１８または１９に記載のデバイス。
【請求項２１】
前記方略が前記ネットワーク側において構成された前記様式で前記ＲＮＡ情報を表すことを含む場合では、前記判定モジュールは、ＲＡＮ追跡エリア（ＲＴＡ）情報、セル情報、および追跡エリア（ＴＡ）情報のうちの少なくとも１つを使用することによって、前記ＲＮＡ情報を表すように構成されている、請求項１８に記載のデバイス。
【請求項２２】
前記端末に関連する前記情報は、前記端末のサービス特性および前記端末の移動特性のうちの少なくとも１つを含む、請求項１８〜２１のいずれか１項に記載のデバイス。
【請求項２３】
前記端末のサービス特性は、遅延要件、信頼性要件、およびレート要件のうちの少なくとも１つを含み、
前記判定モジュールはさらに、前記端末のサービス特性に従って、前記ＲＮＡ情報を表すための前記様式を判定するように構成されている、請求項２２に記載のデバイス。
【請求項２４】
前記端末の移動特性は、前記端末の移動軌跡情報を含む、請求項２２に記載のデバイス。
【請求項２５】
前記方略はさらに、前記端末によってサポートされ、前記端末によって報告される、前記ＲＮＡ情報を表すための様式を受信することを含み、
前記判定モジュールはさらに、前記端末によってサポートされる前記ＲＮＡ情報を表すための前記様式に従って、非アクティブ状態における前記端末に関する前記ＲＮＡ情報を構成するように構成されている、請求項１８に記載の装置。
【請求項２６】
前記端末によってサポートされる前記ＲＮＡ情報を表すための前記様式は、
ＲＴＡ情報を使用することによって前記ＲＮＡ情報を表すことと、
セル情報を使用することによって前記ＲＮＡ情報を表すことと、
ＴＡ情報を使用することによって前記ＲＮＡ情報を表すことと
のうちの少なくとも１つを含む、請求項２５に記載のデバイス。
【請求項２７】
前記セル情報は、セルに関する情報またはセルリストに関する情報を含み、
前記セルリストに関する情報は、１つ以上の基地局に属する複数のセルに関する情報または１つ以上のＴＡに属する複数のセルに関する情報を含む、請求項２１に記載のデバイス。
【請求項２８】
前記ＲＴＡ情報は、１つのＲＴＡに関する情報または１つのＲＴＡリストに関する情報を含む、請求項２１に記載のデバイス。
【請求項２９】
前記ＴＡ情報は、１つのＴＡに関する情報または１つのＴＡリストに関する情報を備える、請求項２１に記載のデバイス。
【請求項３０】
前記ＲＮＡ情報は、以下：
１つのセルが１つのＲＴＡに属することと、
１つのセルが異なるサービスのための複数のＲＴＡに属することと、
１つのＲＴＡが１つのセルまたは複数のセルを備えることと、
１つのＲＴＡ内に備えられる前記複数のセルが１つの基地局または複数の基地局に属することと、
１つのＲＴＡ内に備えられる前記複数のセルが１つのＴＡまたは複数のＴＡに属することと、
１つのＲＴＡ内に備えられる前記複数のセルが１つのＴＡリスト内にあることと
のうちの１つを含む、請求項１８に記載のデバイス。
【請求項３１】
前記デバイスは、基地局内に配置され、または独立して配置されている、請求項１８に記載のデバイス。
【請求項３２】
前記デバイスが属するネットワーク要素および前記端末の両方が、セル情報を使用することによって前記ＲＮＡ情報を表すことをサポートする場合では、前記デバイスはさらに、最適化モジュールを備え、前記最適化モジュールは、ダウンリンクデータ、次世代ネットワーク制御サーフェス（ＮＧＣ）インターフェースシグナリング、または非アクセス層（ＮＡＳ）シグナリングがコアネットワークから受信される場合に、前記セル情報によって示されるセル内でＲＡＮページングを実施するように構成されている、請求項１８に記載のデバイス。
【請求項３３】
前記最適化モジュールはさらに、ページングタイムアウトに応答して、ＲＴＡ情報またはＴＡ情報によって示されるＴＡ内でページングを実施するように構成され、前記ＲＴＡ情報または前記ＴＡ情報によって示される前記ＴＡは、前記端末の移動軌跡によって判定される、請求項３２に記載のデバイス。
【発明の詳細な説明】
【技術分野】
【０００１】
（技術分野）
本開示は、モバイル通信の分野、例えば、ＲＡＮベースの通知エリア情報を通知するための方法およびデバイスに関する。
【背景技術】
【０００２】
（背景）
キープアライブサービスおよびマシンタイプ通信（ＭＴＣ）機器のサービス等のデータ量の少ない伝送サービスがますます増加しているため、電力消費およびシグナリングオーバーヘッドを低減させるために、非アクティブ状態が、関連技術において導入されている。非アクティブ状態では、ユーザ機器（ＵＥ）は、無線アクセスネットワーク（ＲＡＮ）によって通知されるあるエリア内で移動することを可能にされ、コアネットワークに報告する必要がない。この場合、ＲＡＮは、ダウンリンクデータ、ダウンリンクシグナリング、または非アクセス層（ＮＡＳ）メッセージに応答して、ページングプロシージャを開始し、ＵＥをページングする必要がある。ページングプロシージャをサポートするために、ＲＡＮベースの通知エリア（ＲＮＡ）情報が、端末がネットワーク側に報告することなくＲＮＡ内で移動し得るように、端末に対して構成される必要がある。ＲＮＡから外に移動する場合では、端末は、ネットワーク側によって感知される必要がある。
【０００３】
端末がＲＮＡ情報を知ることができない場合、端末は、これが移動する限り、非アクティブ状態であってもネットワーク側に報告し、これは、必然的に、ＵＥとネットワークとの間の不必要な頻繁なシグナリングを引き起こし、システムリソースを浪費する。
【発明の概要】
【発明が解決しようとする課題】
【０００４】
（要約）
本開示は、ＵＥとネットワークとの間の不必要な頻繁なシグナリングを排除し、それによって、システムリソースを節約するために、ＲＡＮベースの通知エリア（ＲＮＡ）情報を通知するための方法およびデバイスを提供する。
【課題を解決するための手段】
【０００５】
本開示は、ＲＮＡ情報を通知するための方法を提供する。本方法は、下記に説明されるステップを含む。
【０００６】
ネットワーク側ノードが、プリセット方略に従って、ＲＮＡ情報を判定する。
【０００７】
ネットワーク側ノードが、判定されたＲＮＡ情報を端末に伝送する。
【０００８】
方略は、ネットワーク側において構成された様式で、ＲＮＡ情報を表すこと、または端末に関連する情報に従って、ＲＮＡ情報を表すための様式を判定することのうちの１つを含む。
【０００９】
本開示はさらに、ＲＮＡ情報を通知するためのデバイスを提供する。本デバイスは、判定モジュールと、通知モジュールとを含む。
【００１０】
判定モジュールは、プリセット方略に従って、ＲＮＡ情報を判定するように構成される。
【００１１】
通知モジュールは、判定されたＲＮＡ情報を端末に伝送するように構成される。
【００１２】
方略は、ネットワーク側において構成された様式で、ＲＮＡ情報を表すこと、または端末に関連する情報に従って、ＲＮＡ情報を表すための様式を判定することのうちの１つを含む。
【００１３】
本開示は、ＲＮＡ情報が端末に通知されるＲＮＡ情報を通知し、それによって、ＵＥとネットワークとの間の不必要な頻繁なシグナリングを排除し、システムリソースを節約するための方法およびデバイスを提供する。方略がＲＮＡ情報を表すための複数の様式を含む場合では、ＲＮＡ情報は、サービス特性または移動特性等の端末に関連する情報に基づいて判定され、それによって、ＲＮＡ情報を最適化してもよい。
【図面の簡単な説明】
【００１４】
【図１】図１は、ある実施形態による、ＲＮＡ情報を通知するための方法のフローチャートである。
【図２】図２は、ある実施形態による、ＲＮＡ情報を通知するための別の方法のフローチャートである。
【図３】図３は、ある実施形態による、ＲＮＡ情報の更新のフローチャートである。
【図４】図４は、ある実施形態による、ＲＮＡ情報の別の更新のフローチャートである。
【図５】図５は、ある実施形態による、ＲＮＡ情報のさらに別の更新のフローチャートである。
【図６】図６は、ある実施形態による、ＲＡＮページングのフローチャートである。
【図７】図７は、ある実施形態による、ＲＮＡ情報を通知するためのデバイスの構造図である。
【発明を実施するための形態】
【００１５】
（詳細な説明）
産業は、ＲＮＡ情報の構成に関して合意に達しており、例えば、ＲＮＡ情報の一部は、１つまたは複数のセルに関する情報を含み得、複数のセルは、異なる基地局に属し得る。１つのＲＮＡは、１つの追跡エリア（ＴＡ）よりも狭くあり得る。しかしながら、ＲＮＡ情報の具体的構成に関するコンテンツは、提供されていない。
【００１６】
ＲＡＮ追跡エリア（ＲＴＡ）識別子等の新しい識別子が、ＲＮＡ情報がＲＴＡリストによって表され得るように導入されてもよい。代替として、ＲＮＡ情報は、１つのＴＡまたは１つのセルリストによって表されてもよい。
【００１７】
図１は、本開示のある実施形態による、ＲＮＡ情報を通知するための方法のフローチャートである。図１に示されるように、本方法は、下記に説明されるステップを含んでもよい。
【００１８】
ステップ１００において、ネットワーク側ノードが、プリセット方略に従って、ＲＮＡ情報を判定する。
【００１９】
ＲＮＡは、ＵＥがネットワーク側に報告することなく移動し得るエリアである。例えば、ＵＥは、ロングタームエボリューション（ＬＴＥ）システムにおけるアイドル状態下のセル再選択機構と類似する機構を実施してもよい。
【００２０】
プリセット方略は、デフォルト様式でＲＮＡ情報を表すこと、すなわち、ネットワーク側において構成された様式でＲＮＡ情報を表すことを含む。
【００２１】
代替として、プリセット方略は、端末に関連する情報に従って、ＲＮＡ情報を表すための様式を判定することを含む。
【００２２】
端末に関連する情報は、サービス特性、移動特性、および同等物のうちの少なくとも１つを含んでもよい。ネットワーク側ノードは、基地局等のＲＡＮノードであってもよく、基地局は、５ＧにおけるｅＮＢ、ｇＮＢ、または同等物であってもよい。
【００２３】
随意に、方略がデフォルト様式でＲＮＡ情報によって表される場合では、ネットワーク側ノードが判定されたＲＮＡ情報を端末に伝送するステップは、ネットワーク側ノードによって、デフォルトでＲＴＡ情報、セル情報、およびＴＡ情報のうちの少なくとも１つを使用することによってＲＮＡ情報を表すことを含む。
【００２４】
デフォルト様式がネットワーク側において構成されない場合、端末は、例外を報告する。この場合、非アクティブ状態における端末は、デフォルトで、ＲＴＡ情報、セル情報、およびＴＡ情報のうちの少なくとも１つを用いてＲＮＡ情報を表すことをサポートする。
【００２５】
代替として、ネットワーク側ノードが、デフォルトで、ＲＴＡ情報およびセル情報のうちの少なくとも１つを使用することによってＲＮＡ情報を表し、そのような方略がネットワーク側において構成されない場合では、ＲＮＡ情報は、デフォルトでＴＡ情報によって表される。
【００２６】
随意に、方略がＲＴＡ情報およびセル情報を使用することによってＲＮＡ情報を表すことを含む場合では、ネットワーク側は、サービス特性、移動特性、および同等物のうちの少なくとも１つ等の端末に関連する情報に従って、ＲＴＡ情報およびセル情報のうちの１つを用いてＲＮＡ情報を表すように判定してもよい。
【００２７】
随意に、端末、すなわち、ＵＥのサービス特性は、遅延要件、信頼性要件、およびレート要件のうちの少なくとも１つを含む。例えば、異なるエリアレベルのＲＮＡ情報は、端末の異なるサービス特性のために構成されてもよく、これは、狭帯域モノのインターネット（ＮＢ−ＩｏＴ）サービス、超高信頼度低遅延サービス、および拡張モバイルブロードバンド（ｅＭＢＢ）サービスのうちの少なくとも１つを含む。例えば、ＮＢ−ＩｏＴサービスおよび超高信頼度低遅延サービスに関して、ＲＮＡ情報は、セル情報等の狭いエリアについての情報を用いて表されてもよい。例えば、ｅＭＢＢサービスに関して、ＲＮＡ情報は、ＲＴＡ情報またはＴＡ情報等の広いエリアについての情報を用いて表されてもよい。
【００２８】
随意に、ＵＥの移動特性は、ＵＥの移動軌跡情報を含み、基地局等のネットワーク側ノードは、ＵＥの移動軌跡情報に従って、ＴＡリスト内のより狭いページングエリアを推定し、より狭いページングエリア内の基地局リストを判定してもよい。すなわち、現在構成されるページングエリアに関して、より狭いページングエリアは、ＲＮＡ情報を最適化することによって判定される。例えば、基地局によって通知されるＵＥのページングエリアが、セル１、セル２、およびセル３を含むと仮定して、初期ページングエリアは、ＵＥの低速度等の移動特性に従って、現在登録されているセル、例えば、セル１であり得る。
【００２９】
随意に、方略は、ネットワーク側ノードが、端末によってサポートされ、端末によって報告される、ＲＮＡ情報を表すための受信された様式に従って、ＲＮＡ情報を表すための様式を判定することであってもよい。
【００３０】
例えば、ネットワーク側ノードは、端末によってサポートされ、端末によって報告される、ＲＮＡ情報を表すための様式を受信し、端末によってサポートされるＲＮＡ情報を表すための様式に従って、非アクティブ状態における端末のＲＮＡ情報を構成する。
【００３１】
セル情報は、セルまたはＵＥ特有セルリストに関する情報を含んでもよい。ＵＥ特有セルリストの範囲情報は、以下：複数のセルが１つ以上の基地局に属すること、および複数のセルが１つまたは複数のＴＡに属することのうちの少なくとも１つを含む。
【００３２】
ＲＴＡ情報は、ＲＴＡまたはＵＥ特有ＲＴＡリストに関する情報を含んでもよい。
【００３３】
ＴＡ情報は、ＴＡまたはＴＡリストに関する情報を含んでもよい。
【００３４】
随意に、端末によってサポートされるＲＮＡを表すための様式は、ＲＴＡ情報を使用することによってＲＮＡ情報を表すこと、セル情報を使用することによってＲＮＡ情報を表すこと、およびＴＡ情報を使用することによってＲＮＡ情報を表すことのうちの少なくとも１つを含む。
【００３５】
随意に、ＲＮＡ情報は、以下：
１つのセルが１つのＲＴＡに属することと、
１つのセルが異なるサービスのための複数のＲＴＡに属することと、
１つのＲＴＡが１つまたは複数のセルを含み得ることと、
１つのＲＴＡ内に含まれる複数のセルが１つまたは複数の基地局に属し得ることと、
１つのＲＴＡ内に含まれる複数のセルが１つまたは複数のＴＡに属し得ることと、
１つのＲＴＡ内に含まれる複数のセルが１つのＴＡリスト内にあるべきであることと
のうちの１つを満たしてもよい。
【００３６】
随意に、方略がＲＮＡ情報を表すための複数の様式を含む場合では、１つの様式が、ＲＮＡ情報を表すために、サービス特性、移動特性、および同等物のうちの少なくとも１つ等の端末に関連する情報に従って判定されてもよい。
【００３７】
ステップ１０２において、ネットワーク側ノードは、判定されたＲＮＡ情報を端末に伝送する。
【００３８】
例えば、ネットワーク側ノードは、非アクティブインジケーションおよび判定されたＲＮＡ情報を端末に伝送する。
【００３９】
基地局等のネットワーク側ノードは、ダウンリンクエアインターフェースメッセージを通して、判定されたＲＮＡ情報を端末に伝送してもよい。
【００４０】
ダウンリンクエアインターフェースメッセージは、限定ではないが、共通メッセージ、専用メッセージ、および同等物を含んでもよい。
【００４１】
実施形態は、端末にＲＮＡ情報を通知し、ＵＥとネットワークとの間の不必要な頻繁なシグナリングを排除し、したがって、システムリソースを節約するための完全なソリューションを提供する。
【００４２】
方略がＲＮＡ情報を表すための複数の様式を含むとき、好ましい情報表現様式が、サービス特性、移動特性、および同等物のうちの少なくとも１つ等の端末に関連する情報に基づいて、ＲＮＡ情報を表し、それによって、ＲＮＡ情報を最適化するために判定されてもよい。
【００４３】
随意に、ネットワーク側ノードによって伝送されるＲＮＡ情報が複数の様式で表される場合、端末はさらに、サービス特性、移動特性、および同等物のうちの少なくとも１つ等の端末に関連する情報に従って、ＲＮＡ情報を表すための複数の様式のうちの１つを判定してもよい。
【００４４】
端末が、これが新しいＲＮＡに進入していると見出す場合では、ある実施形態における方法はさらに、端末がＲＡＮ側ＲＮＡ更新プロシージャを開始することを含み、これは、下記に説明される３つのタイプ：図３を参照して理解され得る、ＲＮＡ情報がＲＴＡ情報によって表されるＲＮＡ更新プロシージャ、図４を参照して理解され得る、ＲＮＡ情報がＴＡ情報によって表されるＲＮＡ更新プロシージャ、および図５を参照して理解され得る、ＲＮＡ情報がセル情報によって表されるＲＮＡ更新プロシージャのうちの１つを含んでもよい。
【００４５】
ある実施形態における方法はさらに、ＲＡＮページングを最適化することを含む。
【００４６】
ネットワーク側ノードおよび端末の両方が、セル情報を使用することによってＲＮＡ情報を表すことをサポートし、コアネットワークからダウンリンクデータ、次世代ネットワーク制御サーフェス（ＮＧＣ）インターフェースシグナリング、またはＮＡＳシグナリングが着信する場合では、ＲＡＮページングは、セル情報において含まれるセル内で実装される。すなわち、ネットワーク側が、コアネットワークから、データ、ＮＧＣインターフェースシグナリング、またはＮＡＳシグナリングを受信する場合では、ＲＡＮノードは、ＲＮＡ内でページングを実施する。ここでは、ＲＮＡは、ＲＮＡ情報に対応するセルのエリアを指す。ページングタイムアウトに応答して、ＲＡＮページングは、ＲＴＡ情報またはＴＡ情報によって示されるＴＡ内で実施されてもよい。ＲＴＡ情報またはＴＡ情報によって示されるＴＡは、端末の移動軌跡によって判定される。ＮＧＣインターフェースは、コアネットワークと５ＧにおけるｇＮＢとの間の制御プレーンインターフェースであってもよい。
【００４７】
実施形態による方法は、下記に説明される実施形態と併せて説明される。３ＧＰＰシステムは、ＬＴＥシステム、拡張ＬＴＥシステム、または新しい５Ｇシステムであってもよい。ある実施形態では、進化型ＮｏｄｅＢ（ｅＮＢ）は、ＬＴＥアクセスネットワークのネットワーク要素としての役割を果たし、コアネットワーク（ＣＮ）は、モビリティ管理エンティティ（ＭＭＥ）と、サービングゲートウェイ（Ｓ−ＧＷ）とを含む。
【００４８】
図２は、ある実施形態による、ＲＮＡ情報を通知するための方法のフローチャートである。実施形態では、ＵＥの移動軌跡に従ってＲＮＡ情報を判定した後、ｅＮＢは、ＵＥにＲＮＡ情報を通知すると仮定する。図２に示されるように、本方法は、下記に説明されるステップを含む。
【００４９】
ステップ２００において、ＵＥは、ＵＥがＲＴＡ情報を使用することによってＲＮＡ情報を表すことをサポートすることを報告する。
【００５０】
実施形態では、ＵＥは、ＵＥがＲＴＡまたはＵＥ特有ＲＴＡリストを使用することによってＲＮＡ情報を表すことをサポートするインジケーションをｅＮＢに報告する。
【００５１】
実施形態では、ＵＥのサービスモデルがｅＭＢＢサービスであると仮定して、ＵＥは、システム情報を通して、現在のセルのＲＴＡ識別子がＲＴＡ１であることを取得してもよい。ＵＥの移動軌跡が、セル１１、セル１２、およびセル３１を伴い、セル１１およびセル１２は、ＲＴＡ１に属し、セル１３は、ＲＴＡ２に属すると仮定される。
【００５２】
ステップ２０１において、ｅＮＢは、ＵＥの移動特性に従って、ＲＮＡ情報を判定する。
【００５３】
ＵＥの移動軌跡に従って、ｅＮＢによって判定されるＵＥのＲＮＡ情報は、ＲＴＡ１と、ＲＴＡ２とを含み、ＲＴＡ１は、セル１１と、セル１２とを含み、ＲＴＡ２は、セル１３を含む。
【００５４】
ステップ２０２において、ｅＮＢは、ＵＥに、ダウンリンクエアインターフェースメッセージを通して、判定されたＲＮＡ情報を通知する。
【００５５】
実施形態では、ＲＮＡ情報は、ＲＴＡリストを使用して表される。例えば、ＲＴＡリストは、ＲＴＡ１と、ＲＴＡ２とを含む。
【００５６】
図３は、ある実施形態による、ＲＮＡ情報の更新のフローチャートである。実施形態では、ＲＮＡ情報は、ＲＴＡ情報を用いて表される。図３に示されるように、更新プロシージャは、下記に説明されるステップを含む。
【００５７】
ステップ３００において、ＵＥは、サービングＲＡＮノード、すなわち、ｇＮＢ１下で非アクティブ状態に入る。ＲＲＣ接続リリースメッセージでは、サービングＲＡＮノードは、２つのパラメータ：ＵＥレジュームＩＤおよびその中でＵＥが自律的に移動するＲＮＡを提供する。ここでは、ＲＮＡは、ＲＴＡリストを用いて表される。
【００５８】
ステップ３０１および３０２において、ＵＥは、ｇＮＢ２のカバレッジに移動し、ｇＮＢ２のブロードキャストメッセージであるそのシステム情報ブロック１（ＳＩＢ１）内で搬送されるＲＴＡを読み取り、ＲＴＡがＵＥによって記憶されるＲＴＡリスト内にないことを見出す。ＵＥは、ＲＮＡ更新プロシージャをトリガする。
【００５９】
ステップ３０３において、ＵＥが非アクティブ状態にあるため、ＵＥは、エアインターフェースレジュームプロシージャを実施する必要がある。ＵＥは、ＲＲＣレジューム要求メッセージをｇＮＢ２に報告し、ＲＲＣレジューム要求メッセージは、ＵＥコンテキストを識別するレジュームＩＤ等のＵＥ  ＩＤおよびセキュリティチャック認証パラメータｓｈｏｒｔ  ｍａｃ−ｉを搬送する。
【００６０】
ここでは、認証パラメータｓｈｏｒｔ  ｍａｃ−ｉは、ｇＮＢに伝送され、ｇＮＢは、関連する暗号化パラメータおよび完全アルゴリズムを使用することによって、認証パラメータｓｈｏｒｔ  ｍａｃ−ｉがｇＮＢによって記憶されたパラメータと一貫するかどうかをデコードする。
【００６１】
ステップ３０４において、ｇＮＢ２は、いかなる記憶されたＵＥコンテキストも見出さず、次いで、ｇＮＢ２は、レジュームＩＤを通してアンカｇＮＢ、すなわち、ｇＮＢ１を取得し、ｇＮＢ１へのＵＥコンテキスト読出要求を開始する。同様に、ＵＥコンテキスト読出要求は、レジュームＩＤおよびｓｈｏｒｔ  ｍａｃ−ｉを搬送する。
【００６２】
ステップ３０５において、ｇＮＢ１は、ｓｈｏｒｔ  ｍａｃ−ｉを通してレジュームＩＤを照合し、いかなるダウンリンクデータも伝送されないと判定し、ＵＥコンテキスト読出応答をｇＮＢ２に伝送する。ＵＥコンテキスト読出応答は、ＵＥコンテキストおよびパス切替のＮＧＣインジケーションを搬送する。
【００６３】
ステップ３０６において、ｇＮＢ２は、ＲＲＣ接続レジュームメッセージをＵＥに伝送する。ＲＲＣ接続レジュームメッセージは、新しいレジュームＩＤを搬送する。ＵＥは、メッセージを受信し、ＵＥコンテキストアクティブ化動作を実施する。
【００６４】
ステップ３０７において、ＵＥは、ＲＲＣ接続レジューム完了メッセージをｇＮＢ２に返す。本ステップは、省略されてもよい。
【００６５】
ステップ３０８において、ＵＥは、ＲＮＡ更新メッセージをｇＮＢ２に伝送する。ＲＡＮ更新メッセージは、ＲＮＡ更新理由を搬送し、また、アップリングデータがバッファ内に存在する場合、伝送予定データインジケーションを搬送する。
【００６６】
ｇＮＢ２がＲＮＡ更新メッセージを受信すると、ｇＮＢ２は、ＵＥの位置を登録し、新しいＲＴＡリストを分配する。伝送予定データインジケーションが真であり、またはパス切替が受信される場合、ｇＮＢ２は、（明示的または暗示的に）ＵＥが接続状態にあることを示す。伝送予定データインジケーションが偽である場合、ｇＮＢ２は、非アクティブ状態に入るようにＵＥに命令する。
【００６７】
ステップ３０９において、ｇＮＢ２は、ＲＮＡ更新許容メッセージをＵＥに返す。ＲＮＡ更新許容メッセージは、新しいＲＴＡリストおよび状態切替インジケーションを搬送する。
【００６８】
ステップ３１０において、ｇＮＢ２は、ＮＧＣへのＮＧＣパス切替要求メッセージを開始する。ＮＧＣパス切替要求メッセージは、ｇＮＢ１の識別子ｉｄを搬送する。ＮＧＣは、ｇＮＢ１に、ＮＧＣインターフェースにおいてＵＥコンテキストをリリースさせる。
【００６９】
ステップ３１１において、ＭＭＥは、ＮＧＣパス切替要求肯定応答（ＡＣＫ）メッセージをＮＧＣインターフェースを通してｇＮＢ２に返す。
【００７０】
ステップ３１２において、ｇＮＢ２は、ＵＥコンテキストリリースメッセージをｇＮＢ１に伝送し、ＵＥエアインターフェースコンテキストをリリースするようにｇＮＢ１に命令する。
【００７１】
ステップ３１３において、ｇＮＢ２は、ユーザプレーンデータの最後のパケットが受信されるまで、新しいＲＲＣ専用シグナリングを介して、新しいアンカｇＮＢの識別子をＵＥに伝送する。
【００７２】
ステップ３１４において、ｇＮＢ２が最後のパケットを受信すると、ネットワーク側は、非アクティブ状態に入るようにＵＥに命令する。
【００７３】
図４は、ある実施形態による、ＲＮＡ情報の別の更新のフローチャートである。実施形態では、ＲＮＡ情報は、ＴＡ情報を用いて表される。図４に示されるように、更新は、下記に説明されるステップを含む。
【００７４】
ステップ４００において、ＵＥがＲＲＣ接続プロセスにおいて接続状態にあると仮定して、ＵＥは、専用シグナリングを介してＴＡまたはＴＡリストを取得し、次いで、非アクティブ状態にロールバックする。例えば、ｅＮＢ１は、ＲＲＣ接続リリースメッセージをＵＥに伝送する。ＲＲＣ接続リリースメッセージは、ＴＡまたはＴＡリストを搬送する。
【００７５】
ステップ４０１において、ＵＥは、ｅＮＢ２のセル２のブロードキャストメッセージを通して、ＵＥが現在進入しているＴＡ（新しいＴＡ）を読み取り、これは、ＲＮＡ情報を表すためのＴＡと異なり、ＵＥによって記憶される、またはＲＮＡ情報を表すためのＴＡリスト内になく、ＵＥによって記憶される。
【００７６】
ステップ４０２および４０３において、ＵＥは、タイマを始動し、グラントフリー様式でｅＮＢ２へのＲＮＡレベルにおけるＲＮＡ更新要求を開始する。要求は、ＵＥによってアクセスされるＴＡ、ＵＥ移動情報およびＵＥサービス情報、ならびにＵＥ  ｉｄのうちの少なくとも１つを搬送する。
【００７７】
ＲＮＡレベルにおけるＲＮＡ更新要求は、タイマのタイムアウトの場合に応答が受信されない場合、再び伝送される。ＲＲＣ接続要求メッセージが、ＲＮＡ更新要求が３回等のある回数にわたって伝送されているとき、いかなる応答も受信されない場合、開始される。
【００７８】
ステップ４０４において、標的ｅＮＢ２は、ＵＥのＲＮＡ更新要求メッセージを取得し、ｅＮＢ２がいかなるＵＥコンテキストも見出さないとき、ＵＥ  ｉｄを通してアンカｅＮＢ、例えば、ｅＮＢ１の識別子を取得する。
【００７９】
ＲＮＡ更新メッセージを搬送する理由は、アップリンクデータ着信要求ではなく、ＲＮＡ更新理由値である。
【００８０】
ステップ４０５において、標的ｅＮＢであるｅＮＢ２は、ＵＥコンテキスト要求またはＲＮＡ更新要求をアンカｅＮＢ、すなわち、ｅＮＢ１に伝送する。
【００８１】
ステップ４０６において、アンカｅＮＢ１は、ＵＥコンテキスト応答またはＲＮＡ更新応答を標的ｅＮＢ２に伝送する。
【００８２】
ステップ４０７において、標的ｅＮＢ２は、新しいＴＡまたはＴＡリストを判定する。
【００８３】
本ステップにおいて、新しいＴＡまたはＴＡリストは、バックグラウンド構成を通して、または移動軌跡および移動速度等のＵＥの移動特性に基づいて判定されてもよい。実装様式が、図１で参照され得、これは、本明細書では繰り返されない。
【００８４】
ステップ４０８において、ｅＮＢ２は、ＲＡＮレベルにおけるＲＮＡ更新許容メッセージをＵＥに返す。
【００８５】
図５は、ある実施形態による、ＲＮＡ情報のさらに別の更新のフローチャートである。実施形態では、ＲＮＡ情報は、セル情報を用いて表される。図５に示されるように、更新は、下記に説明されるステップを含む。
【００８６】
ステップ５００において、ＵＥがＲＲＣ接続プロセスにおいて接続状態にあり、専用シグナリングを介してＴＡまたはＴＡリストを取得すると仮定される。
【００８７】
ステップ５０１において、ＵＥは、ｅＮＢ２のブロードキャストメッセージを通して、ＵＥが現在進入しているセルを読み取り、これは、ＲＮＡ情報を表すためのセルと異なり、ＵＥによって記憶される、またはＲＮＡ情報を表すためのセルリスト内になく、ＵＥによって記憶される。
【００８８】
ステップ５０２において、ＵＥは、事前構成された共通リソースを通してＲＡＮレベルにおけるＲＮＡ更新要求を開始する。要求は、ＵＥによってアクセスされるセル、ＵＥ移動情報、およびＵＥサービス情報のうちの少なくとも１つを搬送してもよい。具体的リソースが、プリアンブルによって識別されてもよく、ＵＥのＲＡＮレベルにおけるＲＡＮ更新メッセージのために保留される。
【００８９】
ステップ５０３において、ｅＮＢ２は、いかなるＵＥコンテキストも見出さず、ＵＥ  ｉｄを通してアンカｅＮＢ１の識別子を取得する。
【００９０】
ステップ５０４において、ｅＮＢ２は、ＲＮＡ更新要求をｅＮＢ１に伝送する。要求は、ＵＥ  ｉｄ、ＵＥサービス情報、ＵＥ移動情報、およびｅＮＢ２のデータアドレス情報のうちの少なくとも１つを搬送する。
【００９１】
ｅＮＢ１がダウンリンクデータを受信する場合、ｅＮＢ１は、ｅＮＢ２のデータアドレス情報を通してダウンリンクデータをｅＮＢ２に直接ルーティングし、パス切替を実施するようにｅＮＢ２に要求してもよい。
【００９２】
ステップ５０５において、アンカｅＮＢ１は、ＵＥのＲＮＡ更新メッセージを取得し、新しいセルまたはセルリストを判定する。ここでは、新しいＴＡまたはＴＡリストは、バックグラウンド構成を通して、または移動軌跡および移動速度等のＵＥの移動特性に基づいて判定されてもよい。実装様式が、図１で参照され得、これは、本明細書では繰り返されない。
【００９３】
ステップ５０６において、ｅＮＢ１は、ＲＡＮレベルにおけるＲＮＡ更新許容メッセージをｅＮＢ２に返す。ＲＮＡ更新許容メッセージは、ＵＥ  ｉｄおよび判定されたセルまたはセルリストを搬送する。
【００９４】
ステップ５０７において、ｅＮＢ２は、プリアンブルおよびＲＡＮレベルにおけるＲＮＡ更新許容メッセージをＵＥに伝送する。
【００９５】
ネットワーク側ノードおよび端末の両方が、セル情報、すなわち、セルまたはＵＥ特有セルリストを使用することによってＲＮＡ情報を表すことをサポートする場合、コアネットワークからダウンリンクデータ、ＮＧＣインターフェースシグナリング、またはＮＡＳシグナリングが着信する場合では、ＲＡＮページングが、セル情報によって示されるセル内で実施される。ページングタイムアウトに応答して、ＲＡＮページングは、ＲＴＡリスト内またはＴＡもしくはＴＡリスト内で実施されてもよい。ＲＴＡリストおよびＴＡリストは、ＵＥの移動軌跡に従って判定される。
【００９６】
図６は、ある実施形態による、ＲＡＮページングのフローチャートである。図６に示されるように、ＲＡＮページングは、下記に説明されるステップを含んでもよい。
【００９７】
ステップ６００において、ｇＮＢ１が、ＭＭＥからダウンリンクデータまたはＮＧＣインターフェースシグナリングを受信する。
【００９８】
ステップ６０１において、ｇＮＢ１は、セルレベルページングを実施する。
【００９９】
ｇＮＢ１は、ＵＥのＲＮＡ情報を表すための現在のセルまたはＵＥ特有セルリストを取得する。ｇＮＢ１は、ページングタイマを始動し、ページングメッセージを取得されたセルまたはＵＥ特有セルリストに伝送する。
【０１００】
ページングがｇＮＢを横断して実施される場合、Ｘ２ページングメッセージが、関連するｇＮＢに伝送される。例えば、ある実施形態では、ｇＮＢ１は、Ｘ２ページングメッセージをｇＮＢ２に伝送する。
【０１０１】
ステップ６０２において、ページングが達成されることができなく、例えば、ページングタイマのタイムアウトの場合にｇＮＢ１が依然としてページング応答を受信していないと仮定して、ｇＮＢ１は、ＲＡＴレベルページングを実施し、またはＴＡリスト内でページングを実施する。
【０１０２】
ページングがｇＮＢを横断して実施される場合、Ｘ２ページングメッセージは、関連するｇＮＢに伝送される。Ｘ２ページングメッセージ内で搬送されるＲＴＡリストおよびＴＡリストが、ＵＥの移動軌跡に従って判定される。ある実施形態では、ｇＮＢ１が、ｇＮＢ２およびｇＮＢ３へのＸ２ページングメッセージを開始すると仮定される。
【０１０３】
ステップ６０３において、ページングが達成されることができないと仮定して、ｇＮＢ１は、ＮＧＣが非アクティブＵＥのためのＣＮレベルページングをサポートすることを学習し、セルリストおよびＲＴＡリストは、関連するＴＡリストおよびＴＡにマッピングされる。
【０１０４】
ここでは、ＮＧＣが非アクティブＵＥのためのＣＮレベルページングをサポートするという情報が、コアネットワークとｇＮＢとの間のＮＧＣインターフェースを通してｇＮＢ１に通知されてもよい。ＮＧＣが非アクティブＵＥのためのＣＮレベルページングをサポートするということが、ネットワーク要素が電源オンにされると具体的に通知されてもよく、またはＵＥが専用状態にあるときにｇＮＢに通知されてもよい。
【０１０５】
ステップ６０４において、ｇＮＢ１は、関連するページング補助情報をＭＭＥに伝送し、これは、ステップ６０３におけるセルリスト、ｇＮＢリスト、ＴＡリスト、および同等物のうちの少なくとも１つを含む。
【０１０６】
ある実施形態はさらに、前述の実施形態におけるＲＮＡ情報を通知するための任意の方法を実行するためのコンピュータ実行可能命令を記憶するように配列される、コンピュータ可読記憶媒体を提供する。
【０１０７】
図７は、ある実施形態による、ＲＮＡ情報を通知するためのデバイスの構造図である。図７に示されるように、本デバイスは、少なくとも、判定モジュールと、通知モジュールとを含む。
【０１０８】
判定モジュールは、プリセット方略に従って、ＲＮＡ情報を判定するように配列される。
【０１０９】
方略は、下記に説明される様式のうちの１つを含む。ＲＮＡ情報は、デフォルト様式で表される。例えば、ＲＮＡ情報は、ネットワーク側において構成された様式で表される。
【０１１０】
代替として、ＲＮＡ情報を表すための様式が、端末に関連する情報に従って判定される。例えば、ＲＮＡ情報を表すための様式は、サービス特性、移動特性、および同等物のうちの少なくとも１つ等の端末に関連する情報に従って判定される。
【０１１１】
通知モジュールは、判定されたＲＮＡ情報を端末に伝送するように配列される。
【０１１２】
随意に、通知モジュールは、非アクティブインジケーションおよび判定されたＲＮＡ情報を端末に伝送するように配列される。
【０１１３】
随意に、判定されたＲＮＡ情報は、ダウンリンクエアインターフェースメッセージを通して、端末に伝送されてもよい。ダウンリンクエアインターフェースメッセージは、限定ではないが、共通メッセージ、専用メッセージ、および同等物を含んでもよい。
【０１１４】
方略が、ネットワーク側において構成された様式でＲＮＡ情報を表すことを含む場合では、判定モジュールは、下記に説明される動作を実施するように配列される。
【０１１５】
ＲＮＡ情報は、ＲＴＡ情報、セル情報、およびＴＡ情報のうちの少なくとも１つを使用することによって表される。ネットワーク側がいかなる関連する構成も有していない場合、端末は、例外を報告する。この場合、非アクティブ状態における端末は、デフォルトで、ＲＴＡ情報、セル情報、およびＴＡ情報のうちの少なくとも１つを用いてＲＮＡ情報を表すことをサポートする。
【０１１６】
代替として、ＲＮＡ情報は、デフォルトで、ＲＴＡ情報およびセル情報のうちの少なくとも１つを使用することによって表される。ネットワーク側がいかなる構成も有していない場合、ＲＮＡ情報は、デフォルトで、ＴＡ情報を使用することによって表される。
【０１１７】
随意に、方略が、ＲＴＡ情報およびセル情報を使用することによってＲＮＡ情報を表すことを含む場合では、判定モジュールはさらに、サービス特性、移動特性、および同等物のうちの少なくとも１つ等の端末に関連する情報に従って、ＲＴＡ情報およびセル情報のうちの１つを用いてＲＮＡ情報を表すように判定するように配列される。
【０１１８】
随意に、ＵＥのサービス特性は、遅延要件、信頼性要件、およびレート要件を含む。例えば、異なるエリアレベルのＲＮＡ情報は、狭帯域モノのインターネット（ＮＢ−ＩｏＴ）サービス、超高信頼度低遅延サービス、および拡張モバイルブロードバンド（ｅＭＢＢ）サービスのうちの少なくとも１つを含む、異なるサービス特性のために構成されてもよい。例えば、ＮＢ−ＩｏＴサービスおよび超高信頼度低遅延サービスに関して、ＲＮＡ情報は、セル情報等の狭いエリア関する情報を用いて表されてもよい。例えば、ｅＭＢＢサービスに関して、ＲＮＡ情報は、ＲＴＡ情報またはＴＡ情報等の広いエリアに関する情報を用いて表されてもよい。
【０１１９】
随意に、ＵＥの移動特性は、ＵＥの移動軌跡情報を含み、判定モジュールはさらに、ＵＥの移動軌跡情報に従って、ＴＡリスト内のより狭いページングエリアを推定し、より狭いページングエリア内の基地局リストを判定するように構成される。すなわち、現在構成されるページングエリアに関して、より狭いページングエリアは、ＲＮＡ情報を最適化することによって判定される。例えば、ＵＥの通知されるページングエリアが、セル１、セル２、およびセル３を含むと仮定して、初期ページングエリアは、ＵＥの低速度等の移動特性に従って、現在登録されているセル、例えば、セル１であり得る。
【０１２０】
随意に、方略は、端末によってサポートされ、端末によって報告されるＲＮＡ情報を表すための様式を受信することを含んでもよく、ネットワーク側ノードは、端末によってサポートされるＲＮＡ情報を表すための様式に従って、非アクティブ状態における端末のＲＮＡ情報を構成する。
【０１２１】
セル情報は、セルまたはＵＥ特有セルリストに関する情報を含んでもよい。ＵＥ特有セルリストの範囲は、以下：複数のセルが１つまたは複数の基地局に属すること、および複数のセルが１つまたは複数のＴＡに属することのうちの少なくとも１つを含む。
【０１２２】
ＲＴＡ情報は、ＲＴＡまたはＵＥ特有ＲＴＡリストに関する情報を含んでもよい。
【０１２３】
ＴＡ情報は、ＴＡまたはＴＡリストに関する情報を含んでもよい。
【０１２４】
随意に、端末によってサポートされるＲＮＡを表すための様式は、セル情報を使用することによってＲＮＡ情報を表すこと、およびＴＡ情報を使用することによってＲＮＡ情報を表すことのうちの少なくとも１つを含む。
【０１２５】
随意に、ＲＮＡ情報は、以下：
１つのセルが１つのＲＴＡに属することと、
１つのセルが異なるサービスのための複数のＲＴＡに属することと、
１つのＲＴＡが１つまたは複数のセルを含み得ることと、
１つのＲＴＡ内に含まれる複数のセルが１つまたは複数の基地局に属し得ることと、
１つのＲＴＡ内に含まれる複数のセルが１つまたは複数のＴＡに属し得ることと、
１つのＲＴＡ内に含まれる複数のセルが１つのＴＡリスト内にあるべきであることと
のうちの１つであってもよい。
【０１２６】
随意に、方略がＲＮＡ情報を表すための複数の様式を含む場合では、判定モジュールはさらに、ＲＮＡ情報を表すために、サービス特性、移動特性、および同等物のうちの少なくとも１つ等の端末に関連する情報に従って、１つの様式を判定するように配列される。
【０１２７】
実施形態によって提供されるＲＮＡ情報を取得するためのデバイスは、基地局内に配置される、または独立した装置として配置されてもよい。
【０１２８】
随意に、端末が、これが新しいＲＮＡに進入していると見出す場合では、端末は、ＲＡＮ側ＲＮＡ更新プロシージャを開始し、これは、下記に説明される３つのタイプ：ＲＮＡ情報がＲＴＡ情報によって表されるＲＮＡ更新プロシージャ、ＲＮＡ情報がＴＡ情報によって表されるＲＮＡ更新プロシージャ、およびＲＮＡ情報がセル情報によって表されるＲＮＡ更新プロシージャのうちの１つを含んでもよい。
【０１２９】
随意に、実施形態におけるデバイスが属するネットワーク要素および端末の両方が、セル情報を使用することによってＲＮＡ情報を表すことをサポートする場合では、本デバイスはさらに、最適化モジュールを含む。
【０１３０】
最適化モジュールは、ダウンリンクデータ、ＮＧＣインターフェースシグナリング、またはＮＡＳシグナリングがコアネットワークから受信される場合では、セル情報によって示されるセル内でＲＡＮページングを実施するように配列される。
【０１３１】
ページングタイムアウトに応答して、最適化モジュールはさらに、ＲＴＡ情報またはＴＡ情報によって示されるＴＡ内でＲＡＮページングを実施するように配列される。ＲＴＡ情報またはＴＡ情報によって示されるＴＡは、端末の移動軌跡によって判定される。
【図１】
2020503812.tif 000003
【図２】
2020503812.tif 000004
【図３】
2020503812.tif 000005
【図４】
2020503812.tif 000006
【図５】
2020503812.tif 000007
【図６】
2020503812.tif 000008
【図７】
2020503812.tif 000009
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
通信方法であって、
通信ノードによって、ＲＡＮ追跡エリア（ＲＴＡ）情報、セル情報、または追跡エリア（ＴＡ）情報のうちの少なくとも１つによって表される、無線アクセスネットワークベースの通知エリア（ＲＮＡ）情報を判定することと、
前記通信ノードによって、前記判定されたＲＮＡ情報を通信デバイスに伝送することと
を含む、通信方法。
【請求項２】
前記ＲＴＡ情報は、ＲＴＡまたはＲＴＡリストに関する情報を含み、
前記セル情報は、セルまたはセルリストに関する情報を含み、もしくは、
前記ＴＡ情報は、ＴＡまたはＴＡリストに関する情報を含む、請求項１に記載の通信方法。
【請求項３】
前記通信ノードによって、前記通信デバイスに関して、前記ＲＮＡ情報に基づいて、非アクティブインジケーションを構成することと、
前記通信ノードによって、前記非アクティブインジケーションを前記通信デバイスに伝送することと
をさらに含む、請求項１に記載の通信方法。
【請求項４】
前記判定されたＲＮＡ情報は、ダウンリンクエアインターフェースメッセージを介して前記通信デバイスに伝送される、請求項１に記載の通信方法。
【請求項５】
前記ダウンリンクエアインターフェースメッセージは、共通メッセージまたは専用メッセージのうちの１つを含む、請求項４に記載の通信方法。
【請求項６】
前記通信ノードによって、前記通信デバイスが、前記通信デバイスが進入するエリアが前記判定されたＲＮＡ情報に示されるエリアと異なると判定することに応答して、前記判定されたＲＮＡ情報を更新する要求を受信することをさらに含む、請求項１に記載の通信方法。
【請求項７】
前記通信ノードによって、前記通信デバイスが、前記通信デバイスが進入するセルが前記判定されたＲＮＡ情報に示されるセルと異なり、または前記判定されたＲＮＡ情報に示されるセルリスト内に含まれていないと判定することに応答して、前記判定されたＲＮＡ情報を更新する要求を受信することをさらに含む、請求項１に記載の通信方法。
【請求項８】
前記通信ノードによって、前記通信デバイスが、前記通信デバイスが受信するＲＴＡが前記判定されたＲＮＡ情報に示されるＲＴＡリスト内に含まれていないと判定することに応答して、前記判定されたＲＮＡ情報を更新する要求を受信することをさらに含む、請求項１に記載の通信方法。
【請求項９】
前記通信ノードによって、前記通信デバイスが、前記通信デバイスが進入するＴＡが前記判定されたＲＮＡ情報に示されるＴＡと異なり、または前記判定されたＲＮＡ情報に示されるＴＡリスト内に含まれていないと判定することに応答して、前記判定されたＲＮＡ情報を更新する要求を受信することをさらに含む、請求項１に記載の通信方法。
【請求項１０】
方法であって、
通信デバイスによって、ＲＡＮ追跡エリア（ＲＴＡ）情報または追跡エリア（ＴＡ）情報のうちの少なくとも１つによって表される、無線アクセスネットワークベースの通知エリア（ＲＮＡ）情報を示すメッセージを受信することと、
前記メッセージを受信することに応答して、前記通信デバイスを非アクティブ状態に遷移させることと
を含む、方法。
【請求項１１】
前記ＲＴＡ情報は、ＲＴＡリストに関する情報を含み、もしくは、
前記ＴＡ情報は、ＴＡまたはＴＡリストに関する情報を含む、請求項１０に記載の方法。
【請求項１２】
前記通信デバイスによって、前記通信デバイスが進入するエリアが、前記判定されたＲＮＡ情報に示されるエリアと異なると判定することと、
前記通信デバイスによって、前記判定に応答して、前記判定されたＲＮＡ情報を更新する要求を開始することと
をさらに含む、請求項１０に記載の方法。
【請求項１３】
前記通信デバイスによって、前記通信デバイスが進入するセルが、前記判定されたＲＮＡ情報に示されるセルと異なり、または前記判定されたＲＮＡ情報に示されるセルリスト内に含まれていないと判定することと、
前記通信デバイスによって、前記判定に応答して、前記判定されたＲＮＡ情報を更新する要求を開始することと
をさらに含む、請求項１０に記載の方法。
【請求項１４】
前記通信デバイスによって、前記通信デバイスが受信するＲＴＡが、前記判定されたＲＮＡ情報に示されるＲＴＡリスト内に含まれていないと判定することと、
前記通信デバイスによって、前記判定に応答して、前記判定されたＲＮＡ情報を更新する要求を開始することと
をさらに含む、請求項１０に記載の方法。
【請求項１５】
前記通信デバイスによって、前記通信デバイスが進入するＴＡが、前記判定されたＲＮＡ情報に示されるＴＡと異なり、または前記判定されたＲＮＡ情報に示されるＴＡリスト内に含まれていないと判定することと、
前記通信デバイスによって、前記判定に応答して、前記判定されたＲＮＡ情報を更新する要求を開始することと
をさらに含む、請求項１０に記載の方法。
【手続補正２】
【補正対象書類名】明細書
【補正対象項目名】００１３
【補正方法】変更
【補正の内容】
【００１３】
本開示は、ＲＮＡ情報が端末に通知されるＲＮＡ情報を通知し、それによって、ＵＥとネットワークとの間の不必要な頻繁なシグナリングを排除し、システムリソースを節約するための方法およびデバイスを提供する。方略がＲＮＡ情報を表すための複数の様式を含む場合では、ＲＮＡ情報は、サービス特性または移動特性等の端末に関連する情報に基づいて判定され、それによって、ＲＮＡ情報を最適化してもよい。
本願明細書は、例えば、以下の項目も提供する。
（項目１）
無線アクセスネットワーク（ＲＡＮ）ベースの通知エリア（ＲＮＡ）情報を通知するための方法であって、
ネットワーク側ノードによって、プリセット方略に従って、ＲＮＡ情報を判定することと、
前記ネットワーク側ノードによって、前記判定されたＲＮＡ情報を端末に伝送することと
を含み、
前記方略は、
ネットワーク側において構成された様式で、前記ＲＮＡ情報を表すことと、
前記端末に関連する情報に従って、前記ＲＮＡ情報を表すための様式を判定することと
のうちの１つを含む、方法。
（項目２）
前記方略が前記ネットワーク側において構成された前記様式で前記ＲＮＡ情報を表している場合では、前記ネットワーク側ノードによって、前記プリセット方略に従って、前記ＲＮＡ情報を判定することは、前記ネットワーク側ノードによって、ＲＡＮ追跡エリア（ＲＴＡ）情報、セル情報、および追跡エリア（ＴＡ）情報のうちの少なくとも１つを使用することによって、前記ＲＮＡ情報を表すことを含む、項目１に記載の方法。
（項目３）
前記端末に関連する前記情報は、前記端末のサービス特性および前記端末の移動特性のうちの少なくとも１つを含む、項目１または２に記載の方法。
（項目４）
前記端末のサービス特性は、遅延要件、信頼性要件、およびレート要件のうちの少なくとも１つを含む、項目３に記載の方法。
（項目５）
前記端末に関連する前記情報に従って、前記ＲＮＡ情報を表すための前記様式を判定することは、前記端末のサービス特性に従って、前記ＲＮＡ情報を表すための前記様式を判定することを含む、項目４に記載の方法。
（項目６）
前記端末の移動特性は、前記端末の移動軌跡情報を含む、項目３に記載の方法。
（項目７）
前記端末に関連する前記情報に従って、前記ＲＮＡ情報を表すための前記様式を判定することは、前記端末によってサポートされ、前記端末によって報告される、前記ＲＮＡ情報を表すための受信された様式に従って、前記ＲＮＡ情報を表すための前記様式を判定することを含む、項目１に記載の方法。
（項目８）
前記端末によってサポートされる前記ＲＮＡ情報を表すための前記様式は、
ＲＴＡ情報を使用することによって前記ＲＮＡ情報を表すことと、
セル情報を使用することによって前記ＲＮＡ情報を表すことと、
ＴＡ情報を使用することによって前記ＲＮＡ情報を表すことと
のうちの少なくとも１つを含む、項目７に記載の方法。
（項目９）
前記セル情報は、セルに関する情報またはセルリストに関する情報を含み、
前記セルリストに関する情報は、１つ以上の基地局に属する複数のセルに関する情報または１つ以上のＴＡに属する複数のセルに関する情報を含む、項目２に記載の方法。
（項目１０）
前記ＲＴＡ情報は、１つのＲＴＡに関する情報または１つのＲＴＡリストに関する情報を含む、項目２に記載の方法。
（項目１１）
前記ＴＡ情報は、１つのＴＡに関する情報または１つのＴＡリストに関する情報を含む、項目２に記載の方法。
（項目１２）
前記ＲＮＡ情報は、以下：
１つのセルが１つのＲＴＡに属することと、
１つのセルが異なるサービスのための複数のＲＴＡに属することと、
１つのＲＴＡが１つのセルまたは複数のセルを備えることと、
１つのＲＴＡ内に備えられる前記複数のセルが１つの基地局または複数の基地局に属することと、
１つのＲＴＡ内に備えられる前記複数のセルが１つのＴＡまたは複数のＴＡに属することと、
１つのＲＴＡ内に備えられる前記複数のセルが１つのＴＡリスト内にあることと
のうちの１つを含む、項目１に記載の方法。
（項目１３）
前記ネットワーク側ノードによって、前記判定されたＲＮＡ情報を前記端末に伝送することは、前記ネットワーク側ノードによって、非アクティブインジケーションおよび前記判定されたＲＮＡ情報を前記端末に伝送することを含む、項目１に記載の方法。
（項目１４）
前記ネットワーク側ノードは、ダウンリンクエアインターフェースメッセージを通して、前記判定されたＲＮＡ情報を前記端末に伝送する、項目１〜１３のいずれか１項に記載の方法。
（項目１５）
前記ダウンリンクエアインターフェースメッセージは、共通メッセージおよび専用メッセージのうちの１つを含む、項目１４に記載の方法。
（項目１６）
前記ネットワーク側ノードによって、前記判定されたＲＮＡ情報を前記端末に伝送した後、前記方法はさらに、前記ネットワーク側ノードおよび前記端末の両方が、セル情報を使用することによって前記ＲＮＡ情報を表すことをサポートし、前記ネットワーク側ノードが、コアネットワークから、ダウンリンクデータ、次世代ネットワーク制御サーフェス（ＮＧＣ）インターフェースシグナリング、または非アクセス層（ＮＡＳ）シグナリングを受信する場合では、前記ネットワーク側ノードによって、前記セル情報によって示されるセル内でページングを実施することを含む、項目１に記載の方法。
（項目１７）
前記ネットワーク側ノードによって、前記セル情報によって示される前記セル内で前記ページングを実施することは、ページングタイムアウトに応答して、前記ネットワーク側ノードによって、ＲＴＡ情報またはＴＡ情報によって示されるＴＡ内でページングを実施することを含み、
前記ＲＴＡ情報または前記ＴＡ情報によって示される前記ＴＡは、前記端末の移動軌跡によって判定される、項目１６に記載の方法。
（項目１８）
無線アクセスネットワーク（ＲＡＮ）ベースの通知エリア（ＲＮＡ）情報を通知するためのデバイスであって、前記デバイスは、判定モジュールと、通知モジュールとを備え、
前記判定モジュールは、プリセット方略に従って、ＲＮＡ情報を判定するように構成され、
前記通知モジュールは、前記判定されたＲＮＡ情報を端末に伝送するように構成され、
前記方略は、
ネットワーク側において構成された様式で、前記ＲＮＡ情報を表すことと、
前記端末に関連する情報に従って、前記ＲＮＡ情報を表すための様式を判定することと
のうちの１つを含む、デバイス。
（項目１９）
前記通知モジュールは、非アクティブインジケーションおよび前記判定されたＲＮＡ情報を前記端末に伝送するように構成されている、項目１８に記載のデバイス。
（項目２０）
前記通知モジュールは、ダウンリンクエアインターフェースメッセージを通して前記判定されたＲＮＡ情報を前記端末に伝送するように構成されている、項目１８または１９に記載のデバイス。
（項目２１）
前記方略が前記ネットワーク側において構成された前記様式で前記ＲＮＡ情報を表すことを含む場合では、前記判定モジュールは、ＲＡＮ追跡エリア（ＲＴＡ）情報、セル情報、および追跡エリア（ＴＡ）情報のうちの少なくとも１つを使用することによって、前記ＲＮＡ情報を表すように構成されている、項目１８に記載のデバイス。
（項目２２）
前記端末に関連する前記情報は、前記端末のサービス特性および前記端末の移動特性のうちの少なくとも１つを含む、項目１８〜２１のいずれか１項に記載のデバイス。
（項目２３）
前記端末のサービス特性は、遅延要件、信頼性要件、およびレート要件のうちの少なくとも１つを含み、
前記判定モジュールはさらに、前記端末のサービス特性に従って、前記ＲＮＡ情報を表すための前記様式を判定するように構成されている、項目２２に記載のデバイス。
（項目２４）
前記端末の移動特性は、前記端末の移動軌跡情報を含む、項目２２に記載のデバイス。
（項目２５）
前記方略はさらに、前記端末によってサポートされ、前記端末によって報告される、前記ＲＮＡ情報を表すための様式を受信することを含み、
前記判定モジュールはさらに、前記端末によってサポートされる前記ＲＮＡ情報を表すための前記様式に従って、非アクティブ状態における前記端末に関する前記ＲＮＡ情報を構成するように構成されている、項目１８に記載の装置。
（項目２６）
前記端末によってサポートされる前記ＲＮＡ情報を表すための前記様式は、
ＲＴＡ情報を使用することによって前記ＲＮＡ情報を表すことと、
セル情報を使用することによって前記ＲＮＡ情報を表すことと、
ＴＡ情報を使用することによって前記ＲＮＡ情報を表すことと
のうちの少なくとも１つを含む、項目２５に記載のデバイス。
（項目２７）
前記セル情報は、セルに関する情報またはセルリストに関する情報を含み、
前記セルリストに関する情報は、１つ以上の基地局に属する複数のセルに関する情報または１つ以上のＴＡに属する複数のセルに関する情報を含む、項目２１に記載のデバイス。
（項目２８）
前記ＲＴＡ情報は、１つのＲＴＡに関する情報または１つのＲＴＡリストに関する情報を含む、項目２１に記載のデバイス。
（項目２９）
前記ＴＡ情報は、１つのＴＡに関する情報または１つのＴＡリストに関する情報を備える、項目２１に記載のデバイス。
（項目３０）
前記ＲＮＡ情報は、以下：
１つのセルが１つのＲＴＡに属することと、
１つのセルが異なるサービスのための複数のＲＴＡに属することと、
１つのＲＴＡが１つのセルまたは複数のセルを備えることと、
１つのＲＴＡ内に備えられる前記複数のセルが１つの基地局または複数の基地局に属することと、
１つのＲＴＡ内に備えられる前記複数のセルが１つのＴＡまたは複数のＴＡに属することと、
１つのＲＴＡ内に備えられる前記複数のセルが１つのＴＡリスト内にあることと
のうちの１つを含む、項目１８に記載のデバイス。
（項目３１）
前記デバイスは、基地局内に配置され、または独立して配置されている、項目１８に記載のデバイス。
（項目３２）
前記デバイスが属するネットワーク要素および前記端末の両方が、セル情報を使用することによって前記ＲＮＡ情報を表すことをサポートする場合では、前記デバイスはさらに、最適化モジュールを備え、前記最適化モジュールは、ダウンリンクデータ、次世代ネットワーク制御サーフェス（ＮＧＣ）インターフェースシグナリング、または非アクセス層（ＮＡＳ）シグナリングがコアネットワークから受信される場合に、前記セル情報によって示されるセル内でＲＡＮページングを実施するように構成されている、項目１８に記載のデバイス。
（項目３３）
前記最適化モジュールはさらに、ページングタイムアウトに応答して、ＲＴＡ情報またはＴＡ情報によって示されるＴＡ内でページングを実施するように構成され、前記ＲＴＡ情報または前記ＴＡ情報によって示される前記ＴＡは、前記端末の移動軌跡によって判定される、項目３２に記載のデバイス。
【国際調査報告】
2020503812.tif 000010
2020503812.tif 000011
2020503812.tif 000012
2020503812.tif 000013